(57)【特許請求の範囲】
【請求項１】
患者眼から吸引される液体が貯留される貯留部と、
前記貯留部内に前記液体を取り入れるために前記貯留部内の気体を吸引して前記貯留部内の圧力を下げる吸気部と、
前記貯留部内に貯留される前記液体の液位を測定する液位測定部と、を有し、
前記貯留部は、前記液体を取り入れる液体取り入れ口と、前記液体取り入れ口から前記液体が取り入れられる液体取り入れ室と、前記液位測定部により前記液体の液位を測定するための液位測定室と、前記液体取り入れ室と前記液位測定室とを一部連通させながら分ける第１の仕切りと、前記貯留部内に貯留される前記液体を排出する排液口と、を備え、
前記液体取り入れ口は、前記液体取り入れ室内に貯留される前記液体の液面よりも上方となる位置に設けられ、
前記貯留部は、前記吸気部に接続され前記気体を排出するための気体排出室と、前記液位測定室と前記気体排出室とを一部連通させながら分ける第２の仕切りと、を備え、
前記第１の仕切りは、前記液体取り入れ室内に貯留される前記液体の液面よりも上方となる位置にて前記液体取り入れ室と前記液位測定室とを連通させる第１の上方連通部を備え、
前記第２の仕切りは、前記液位測定室内に貯留される前記液体の液面よりも上方となる位置にて前記液位測定室と前記気体排出室とを連通させる第２の上方連通部を備え、
前記第１の仕切りは、前記液体取り入れ室内に貯留される前記液体の液面よりも下方となる位置にて前記液体取り入れ室と前記液位測定室とを連通させる下方連通部を備え、
前記第１の仕切りまたは前記第２の仕切りにより、前記液体取り入れ室と前記気体排出室が前記下方連通部よりも上方となる位置にて分けられており、
前記液位測定室は前記液体取り入れ室と前記気体排出室との間に挟まれるようにして形成され、
前記液体取り入れ室と前記液位測定室との間に前記第１の仕切りが形成され、
前記液位測定室と前記気体排出室との間に前記第２の仕切りが形成され、
前記第１の仕切りと前記第２の仕切りは、各々、前記貯留部の最下部から最上部まで延びるように形成され、
前記液体取り入れ室と前記気体排出室は、前記第１の仕切りと前記第２の仕切りにより分けられ、
前記第１の上方連通部と前記第２の上方連通部は、前記第１の仕切りと前記第２の仕切りが配列される方向から見たときに、重ならない位置、または、一部のみ重なる位置に形成されていること、
を特徴とする液体貯留装置。
【発明の詳細な説明】
【技術分野】
【０００１】
本開示は、液体貯留装置に関するものであり、例えば、眼科手術に使用される眼科装置に設けられる廃液を貯留する液体貯留装置に関するものである。
【背景技術】
【０００２】
特許文献１には、白内障等によって白濁した水晶体核を超音波振動により破砕して除去する超音波手術装置が開示されている。この超音波手術装置において、除去した水晶体核や灌流液を含む廃液は、廃液貯留バッグに貯留される。
【先行技術文献】
【特許文献】
【０００３】
【特許文献１】特開２００５−０１３４２５号公報
【発明の概要】
【発明が解決しようとする課題】
【０００４】
特許文献１に開示されるような装置において、廃液貯留バッグの上流側に、廃液を吸引ポンプにより吸引して一時的に貯留させる小型のタンクを設ける場合がある。この場合、廃液がタンクから溢れて吸引ポンプに吸い込まれないように、タンク内の廃液の液位に応じて廃液をタンクから適切に排出する必要があるので、廃液の液位を安定して測定することが望まれる。
【０００５】
そこで、本開示は上記した問題点を解決するためになされたものであり、患者眼から吸引される液体の貯留部を小型化しながら、当該貯留部内の液位を安定して測定できる液体貯留装置を提供することを目的とする。
【課題を解決するための手段】
【０００６】
本開示における典型的な実施形態が提供する液体貯留装置は、患者眼から吸引される液体が貯留される貯留部と、前記貯留部内に前記液体を取り入れるために前記貯留部内の気体を吸引して前記貯留部内の圧力を下げる吸気部と、前記貯留部内に貯留される前記液体の液位を測定する液位測定部と、を有し、前記貯留部は、前記液体を取り入れる液体取り入れ口と、前記液体取り入れ口から前記液体が取り入れられる液体取り入れ室と、前記液位測定部により前記液体の液位を測定するための液位測定室と、前記液体取り入れ室と前記液位測定室とを一部連通させながら分ける第１の仕切りと、前記貯留部内に貯留される前記液体を排出する排液口と、を備え、前記液体取り入れ口は、前記液体取り入れ室内に貯留される前記液体の液面よりも上方となる位置に設けられ、前記貯留部は、前記吸気部に接続され前記気体を排出するための気体排出室と、前記液位測定室と前記気体排出室とを一部連通させながら分ける第２の仕切りと、を備え、前記第１の仕切りは、前記液体取り入れ室内に貯留される前記液体の液面よりも上方となる位置にて前記液体取り入れ室と前記液位測定室とを連通させる第１の上方連通部を備え、前記第２の仕切りは、前記液位測定室内に貯留される前記液体の液面よりも上方となる位置にて前記液位測定室と前記気体排出室とを連通させる第２の上方連通部を備え、前記第１の仕切りは、前記液体取り入れ室内に貯留される前記液体の液面よりも下方となる位置にて前記液体取り入れ室と前記液位測定室とを連通させる下方連通部を備え、前記第１の仕切りまたは前記第２の仕切りにより、前記液体取り入れ室と前記気体排出室が前記下方連通部よりも上方となる位置にて分けられており、前記液位測定室は前記液体取り入れ室と前記気体排出室との間に挟まれるようにして形成され、前記液体取り入れ室と前記液位測定室との間に前記第１の仕切りが形成され、前記液位測定室と前記気体排出室との間に前記第２の仕切りが形成され、前記第１の仕切りと前記第２の仕切りは、各々、前記貯留部の最下部から最上部まで延びるように形成され、前記液体取り入れ室と前記気体排出室は、前記第１の仕切りと前記第２の仕切りにより分けられ、前記第１の上方連通部と前記第２の上方連通部は、前記第１の仕切りと前記第２の仕切りが配列される方向から見たときに、重ならない位置、または、一部のみ重なる位置に形成されていること、を特徴とする。
【発明の効果】
【０００７】
本開示の液体貯留装置によれば、患者眼から吸引される液体の貯留部を小型化しながら、当該貯留部内の液位を安定して測定できる。
【図面の簡単な説明】
【０００８】
【図１】眼科装置の外観図である。
【図２】図１の眼科装置の概略構成図である。
【図３】図１の眼科装置の制御部を説明する概略構成図である。
【図４】タンクの断面図である。
【発明を実施するための形態】
【０００９】
本実施形態の液体貯留装置が設けられる眼科装置１について説明する。眼科装置１は、例えば、白内障硝子体手術に使用されるものである。本実施形態では、詳しくは後述するように、廃液貯留装置６１（液体貯留装置）において、タンク４２内の廃液ＬＱＷの液位を測定しながら、タンク４２内に廃液ＬＱＷを一時的に貯留させる。そこで、まず、眼科装置１の全体的な構成について説明をした後、廃液貯留装置６１について説明する。
【００１０】
図１と図２に示すように、本実施形態の眼科装置１は、一例として、本体１１とカセット１２を備えている。本体１１は、モニタ２１と接続パネル２２を備えている。モニタ２１に、一例として、手術条件の設定画面や手術装置の駆動結果である手術結果の一覧等が表示される。接続パネル２２に、一例として、手術用ハンドピース１３のケーブル等が接続される複数のコネクタが設けられている。
【００１１】
本体１１は、一例として、白内障手術用などのカセット１２が装着される保持ユニット２３を側面に備えている。
【００１２】
本体１１は、背面にポール２４とアーム２４ａを備えている。ポール２４は、生理食塩水等の灌流液が入れられた灌流瓶２６を支持する。アーム２４ａは、ポール２４の上側で灌流瓶２６を吊り下げる。ポール２４は、制御部１４（図３参照）によって駆動機構２７（図３参照）が駆動されることで上下する。
【００１３】
本体１１は、背面にインターフェイス部を備えている。インターフェイス部は、例えば、手術結果等を電子データとして外部転送するために、ＬＡＮ，ＵＳＢストレージデバイス等を介して外部機器（ＰＣ）と接続してもよい。
【００１４】
本体１１は、フットスイッチ２８を備えている。フットスイッチ２８は、手術用ハンドピース１３の先端部に設けられている可動チップの超音波振動や吸引動作などの各種動作を調整するために用いられてもよい。
【００１５】
本体１１は、内部に制御部１４（図３参照）を備えている。制御部１４は、一例として、眼科装置１の各種動作制御のために用いられる。
【００１６】
図３に示すように、制御部１４に、例えば、手術用ハンドピース１３、モニタ２１、接続パネル２２、駆動機構２７、フットスイッチ２８、吸気部２９、廃液吸引部３１、記憶部３２、インターフェイス部、および各種弁部が接続されている。記憶部３２として、例えば、書き換え可能なフラッシュメモリを用いてもよい。記憶部３２は、手術を実行するためのプログラム、および本体１１の手術動作で取得された各種手術情報を記憶してもよい。
【００１７】
制御部１４は、例えば、記憶部３２に記憶されている灌流吸引プログラムを読み出す。制御部１４は、例えば、吸気部２９の駆動、廃液吸引部３１の駆動、および各種弁の駆動を制御するプロセッサとして働く。なお、プロセッサとして、ＣＰＵ（マイクロプロセッサ）、ＤＳＰ（デジタル・シグナル・プロセッサ）、ＰＬＤ（プログラマブル・ロジック・デバイス）等を用いてもよい。
【００１８】
＜手術用ハンドピース＞
本実施形態の眼科装置１は、手術用ハンドピース１３を備えている。眼科装置１は、手術用ハンドピース１３の一例として、ＵＳハンドピース（超音波ハンドピース）を用いている。ＵＳハンドピースは、例えば、白内障によって不透明になり硬化した水晶体核を、先端に設けられた破砕用チップの超音波振動によって乳化吸引除去する。破砕用チップの超音波振動を行うために、手術用ハンドピース１３内に設けられた超音波振動子に電力ケーブル３３を介して電力供給してもよい。なお、手術用ハンドピース１３は、ＵＳハンドピースに限るものではない。手術用ハンドピース１３として、例えば、Ｉ／Ａハンドピース１６（灌流吸引用ハンドピース）を用いてもよい。本実施形態の手術用ハンドピース１３には、電力ケーブル３３のほかに、灌流チューブ３４と吸引チューブ３６が接続されている。灌流チューブ３４は、例えば、患者眼Ｅへ灌流液を流し込むために用いられる。吸引チューブ３６は、例えば、患者眼Ｅから灌流液を含む廃液ＬＱＷ（液体）を吸い出すために用いられる。
【００１９】
＜供給部＞
本実施形態の眼科装置１は、供給部を有している。供給部は、例えば、灌流液を患者眼Ｅへ供給する。供給部は、一例として、駆動機構２７、ポール２４、灌流瓶２６、灌流チューブ３７、灌流チューブ３４、灌流弁部３８、および手術用ハンドピース１３を備えている。供給部は、灌流液が流れる灌流路３９を有する。灌流路３９は、灌流チューブ３４、および灌流チューブ３７を含む。前述したように、本実施形態の眼科装置１のポール２４には、灌流液が満たされた灌流瓶２６が吊り下げられている。ポール２４は、制御部１４が駆動機構２７を駆動することで上下される。ポール２４の上下動に伴って、灌流瓶２６から流れる灌流液の供給圧が調節される。灌流瓶２６からの灌流液は、灌流チューブ３７および灌流チューブ３４を通過し、術者に把持される手術用ハンドピース１３を介して患者眼Ｅへ灌注される。灌流路３９の途中で、灌流路３９を流れる灌流液の流出制御が行われる。
【００２０】
＜吸引部＞
本実施形態の眼科装置１は、吸引部を備えている。吸引部は、例えば、吸気部２９を用いて、患者眼Ｅから灌流液を含む廃液ＬＱＷを吸引する。吸引部は、一例として、手術用ハンドピース１３、吸引チューブ３６、廃液路４１、タンク４２（貯留部）、吸気路４３、吸気部２９、廃液路４４、廃液吸引部３１、および廃液バッグ１２ｂを備えている。
【００２１】
廃液路４１は、患者眼Ｅから吸引した、灌流液を含む廃液ＬＱＷが流れる流路である。廃液路４１は、吸引チューブ３６とタンク４２に接続されている。
【００２２】
本実施形態においては、廃液路４１は、貯留弁部４７を備えている。制御部１４が貯留弁部４７を開閉制御することで、貯留弁部４７の箇所で廃液路４１を閉塞可能となっている。なお、制御部１４が放流弁部４８を制御して、廃液路４１を流れる廃液ＬＱＷの流量を調節してもよい。タンク４２には、患者眼Ｅから吸引された廃液ＬＱＷが一時的に貯留される。廃液路４１と吸気路４３は、貯留された廃液ＬＱＷの液面よりも上方でタンク４２に接続されている。
【００２３】
吸気路４３は、タンク４２と吸気部２９に接続されている。吸気部２９は、例えば、タンク４２内の気体をタンク４２の外部へと移すための吸引力を発生させる。制御部１４は、例えば、吸気部２９の吸気力を調整することができる。本実施形態においては、吸気部２９の一例として、ベンチュリポンプを用いている。なお、吸気部２９は、例えば、真空ポンプ（真空発生器）であってもよい。吸気部２９がタンク４２内の気体をタンク４２の外部へと移すことで、タンク４２内の気体の圧力が下げられる。
【００２４】
廃液路４４は、タンク４２と廃液バッグ１２ｂに接続されている。本実施形態の廃液路４４は、貯留される廃液ＬＱＷの液面よりも下方でタンク４２に接続されている。廃液路４４は、放流弁部４８を備えている。制御部１４が放流弁部４８を開閉制御することで、放流弁部４８の箇所で廃液路４４を閉塞することができる。本実施形態においては、廃液路４４の少なくとも一部を弾性部材で形成している。本実施形態の廃液吸引部３１は、廃液路４４の側方に配置されている。前述した弾性部材を、廃液吸引部３１のしごき部材でしごくことで、廃液ＬＱＷを吸引する吸引力が発生する。本実施形態では、廃液吸引部３１の吸引力を用いて、タンク４２に貯留された廃液ＬＱＷを廃液バッグ１２ｂへ移す。本実施形態においては、廃液吸引部３１の一例として、蠕動ポンプを用いている。廃液吸引部３１として、例えば、スクロールポンプ、ベーンポンプ、またはダイアフラムポンプ等を用いてもよい。廃液バッグ１２ｂには、廃液吸引部３１が吸引した廃液ＬＱＷが溜められる。本実施形態では、廃液バッグ１２ｂに溜められる廃液ＬＱＷの液面より上方に、廃液路４４が接続される。
【００２５】
＜吸引モード＞
次いで、前述した供給部と吸引部を用いた吸引モードを説明する。本実施形態の吸引モードでは、制御部１４の制御によって、灌流弁部３８、貯留弁部４７、および放流弁部４８が開かれ、ベント弁部４９が閉じられる。
【００２６】
制御部１４の制御によって吸気部２９が駆動されると、吸気部２９は、吸気路４３を介して、タンク４２内の気体を吸気する。これにより、タンク４２内の気体の圧力が低下するので、廃液ＬＱＷは、患者眼Ｅから廃液路４１を介してタンク４２へ吸引されて貯留される。制御部１４は、タンク４２における廃液ＬＱＷの貯留量が一定になるように、廃液吸引部３１を駆動させる。これにより、タンク４２に貯留されている廃液ＬＱＷの一部は、廃液バッグ１２ｂへ移される。タンク４２に貯留される廃液ＬＱＷの液位は、後述する廃液貯留装置６１の液位測定部７１により測定される。
【００２７】
＜ベント流路＞
本実施形態の眼科装置１は、ベント流路５１を備えている。ベント流路５１は、灌流路３９と廃液路４１に接続されている。ベント流路５１に灌流液を流すことで、患者眼Ｅからの過剰な吸引を抑制する。ベント流路５１は、ベント弁部４９を有している。制御部１４がベント弁部４９を開閉制御することで、ベント流路５１に流す灌流液の流量を制御可能である。
【００２８】
＜カセット＞
本実施形態のカセット１２は、カセット本体１２ａおよび廃液バッグ１２ｂを有する。本実施形態のカセット本体１２ａには、灌流チューブ３４、灌流チューブ３７、および吸引チューブ３６が接続されている。本実施形態のカセット本体１２ａは、例えば、廃液路４１、廃液路４４、および吸気路４３を有している。廃液バッグ１２ｂは、カセット本体１２ａの筐体の外側に配置されている。
【００２９】
＜液体貯留装置＞
次に、廃液貯留装置６１（液体貯留装置）について説明する。図２に示すように、廃液貯留装置６１は、タンク４２と、吸気路４３と、吸気部２９と、液位測定部７１などにより構成されている。
【００３０】
タンク４２は、患者眼Ｅから吸引される廃液ＬＱＷを一時的に貯留させる貯留部である。図２に示すように、タンク４２は、廃液バッグ１２ｂの上流側に設けられ、廃液取り入れ口８１（液体取り入れ口）と、排気口８２と、排液口８３を備えている。
【００３１】
廃液取り入れ口８１は、廃液路４１に接続しており、廃液路４１からタンク４２内（詳しくは後述する廃液取り入れ室８４内）に廃液ＬＱＷを取り入れる部分である。排気口８２は、吸気路４３に接続しており、タンク４２内（詳しくは後述する空気排出室８６内）の空気を排出する部分である。排液口８３は、廃液路４４に接続しており、タンク４２内に貯留される廃液ＬＱＷを排出する部分である。
【００３２】
液位測定部７１は、タンク４２内に貯留される廃液ＬＱＷの液位（貯留量）を測定する部分である。本実施形態の液位測定部７１は、タンク４２に設けられた透明な窓４２ａ（図４参照）を介して、タンク４２内（詳しくは後述する液位測定室８５内）の廃液ＬＱＷの液位を測定する。なお、液位測定部７１における測定結果は、制御部１４（図３参照）に送られる。また、液位測定部７１は、例えば、発光部と受光部（例えば、リニアイメージセンサ）により構成されている。
【００３３】
このような廃液貯留装置６１において、吸気部２９による吸引により、吸気路４３を介して排気口８２からタンク４２内の空気が排出され、タンク４２内の圧力が低下する。そして、これにより、患者眼Ｅからの廃液ＬＱＷが、吸引チューブ３６と廃液路４１を介して、廃液取り入れ口８１からタンク４２内に吸引されて貯留される。また、これと並行して、液位測定部７１による廃液ＬＱＷの液位の測定結果に基づき、廃液ＬＱＷの液位が一定になるように廃液吸引部３１の吸引流量が調整されて、廃液ＬＱＷが排液口８３から廃液路４４に排出される。このようにして、廃液バッグ１２ｂの上流側において、吸気部２９による吸引により患者眼Ｅから吸引される廃液ＬＱＷを一時的に貯留させるタンク４２が設けられている。これにより、患者眼Ｅから廃液ＬＱＷを吸引する応答性を向上させることができる。
【００３４】
ここで、吸気部２９による吸引によりタンク４２内の圧力を下げて患者眼Ｅから廃液ＬＱＷを吸引する応答性をさらに向上させるためには、タンク４２の容積を出来るだけ小さくすることが有効な方法の一つである。そして、このようにタンク４２の容積を小さくしてタンク４２を小型化するにあたっては、廃液ＬＱＷがタンク４２から溢れて吸気部２９に吸い込まれないように、廃液ＬＱＷがタンク４２から溢れる前に廃液ＬＱＷを排液口８３から適切に排出させる必要がある。そのため、タンク４２内に貯留される廃液ＬＱＷの液位を安定して測定することが望まれる。しかしながら、タンク４２内に取り入れられる廃液ＬＱＷや気泡の影響、すなわち、タンク４２内に廃液ＬＱＷが取り入れられることによりタンク４２内に貯留される廃液ＬＱＷの液面が波打ったり、廃液ＬＱＷとともにタンク４２内に取り入れられる気泡がタンク４２内に貯留される廃液ＬＱＷの液面付近に溜まるなどの影響により、タンク４２内に貯留される廃液ＬＱＷの液位を安定して測定できないおそれがある。特に、タンク４２を小型化するほど、廃液ＬＱＷの液位は、タンク４２内に取り入れられる廃液ＬＱＷや気泡の影響を受け易くなる。
【００３５】
そこで、本実施形態では、タンク４２の内部が仕切りにより３つの部屋に分かれている。具体的には、図４に示すように、タンク４２は、廃液取り入れ室８４（液体取り入れ室）と、液位測定室８５と、空気排出室８６（気体排出室）と、仕切り８７（第１の仕切り）と、仕切り８８（第２の仕切り）を備えている。
【００３６】
廃液取り入れ室８４は、廃液取り入れ口８１に接続しており、廃液取り入れ口８１から廃液ＬＱＷが取り入れられる部屋である。本実施形態では、廃液取り入れ口８１は、廃液取り入れ室８４内に貯留される廃液ＬＱＷの液面よりも上方となる位置に設けられている。
【００３７】
液位測定室８５は、液位測定部７１（図２参照）により廃液ＬＱＷの液位を測定するための部屋である。なお、図４に示す例においては、一例として、液位測定室８５に排液口８３が設けられている。
【００３８】
空気排出室８６は、吸気路４３を介して吸気部２９（図２参照）に接続されており、空気をタンク４２内から吸気路４３へ排出する部屋である。なお、空気排出室８６の上方に、排気口８２が設けられている。
【００３９】
仕切り８７は、廃液取り入れ室８４と液位測定室８５とを分けている。仕切り８８は、液位測定室８５と空気排出室８６とを分けている。
【００４０】
このように本実施形態では、タンク４２は、液位測定室８５が廃液取り入れ室８４と分けられている。これにより、液位測定室８５内に貯留される廃液ＬＱＷは、廃液取り入れ室８４内に取り入れられる廃液ＬＱＷや気泡の影響を受け難くなる。すなわち、廃液取り入れ室８４と液位測定室８５が仕切り８７により分けられているので、廃液取り入れ室８４内に廃液ＬＱＷが取り入れられることにより廃液取り入れ室８４内に貯留される廃液ＬＱＷの液面が波打ってもその液面の変動は仕切り８７に遮られるため液位測定室８５内に伝わり難く、また、廃液取り入れ室８４内に廃液ＬＱＷとともに取り入れられた気泡は仕切り８７に遮られるため液位測定室８５内へ移動し難い。そのため、液位測定室８５内に貯留される廃液ＬＱＷの液位が安定するので、液位測定部７１により安定した廃液ＬＱＷの液位の測定が可能となる。
【００４１】
また、タンク４２は、液位測定室８５が空気排出室８６と分けられている。これにより、液位測定室８５内に貯留される廃液ＬＱＷは、空気排出室８６内から排出される空気の影響を受け難くなる。すなわち、液位測定室８５と空気排出室８６が仕切り８８により分けられているので、空気排出室８６内から空気が排出されることにより生じる空気排出室８６内の空気の流れは、（後述する上方連通部９３の部分を除いて）仕切り８８により遮られるため、空気排出室８６から直接的に液位測定室８５に伝わり難い。そのため、液位測定室８５内に貯留される廃液ＬＱＷの液位が安定するので、液位測定部７１による安定した液位測定が可能となる。
【００４２】
このように本実施形態では、タンク４２の内部が仕切り８７と仕切り８８により廃液取り入れ室８４と液位測定室８５と空気排出室８６とからなる３つの部屋に分けられているが、廃液取り入れ室８４と液位測定室８５と空気排出室８６とを互いに一部連通させている。すなわち、廃液取り入れ室８４と液位測定室８５と空気排出室８６は、３つの半独立した部屋であって完全に独立しておらず、タンク４２の上下部分でつながっている。そして、タンク４２の上方に各室間を移動する空気の通り道が形成され、タンク４２の下方に各室間を移動する廃液ＬＱＷの通り道が形成されている。
【００４３】
具体的には、タンク４２の上方に形成される空気の通り道として、仕切り８７は上方連通部９１（第１の上方連通部）を備え、仕切り８８は上方連通部９３（第２の上方連通部）を備えている。
【００４４】
上方連通部９１は、廃液取り入れ室８４内に貯留される廃液ＬＱＷの液面よりも上方となる位置に形成され、廃液取り入れ室８４と液位測定室８５とを連通させている。このように、廃液取り入れ室８４と液位測定室８５は上方連通部９１を介して一部連通しており、廃液取り入れ室８４内の空気を上方連通部９１を介して液位測定室８５内に流すことができる。なお、図４に示す例では、上方連通部９１は、廃液取り入れ室８４の最上部の位置に形成されている。
【００４５】
上方連通部９３は、液位測定室８５内に貯留される廃液ＬＱＷの液面よりも上方となる位置に形成され、液位測定室８５と空気排出室８６とを連通させている。このように、液位測定室８５と空気排出室８６は上方連通部９３を介して一部連通しており、液位測定室８５内の空気を上方連通部９３を介して空気排出室８６内に流すことができる。なお、図４に示す例では、上方連通部９３は、液位測定室８５の最上部の位置に形成されている。
【００４６】
以上のようにして、タンク４２の上方に各室間を移動する空気の通り道が形成されているので、吸気部２９による吸引によりタンク４２内の圧力を低下させて、患者眼Ｅから廃液ＬＱＷをタンク４２内に吸引して貯留させることができる。
【００４７】
また、タンク４２の下方に形成される廃液ＬＱＷの通り道として、仕切り８７は下方連通部９２（第１の下方連通部）を備え、仕切り８８は下方連通部９４（第２の下方連通部）を備えている。
【００４８】
下方連通部９２は、廃液取り入れ室８４内に貯留される廃液ＬＱＷの液面よりも下方となる位置に形成され、廃液取り入れ室８４と液位測定室８５とを連通させている。このように、廃液取り入れ室８４と液位測定室８５は下方連通部９２を介して一部連通しており、廃液取り入れ室８４内の廃液ＬＱＷを下方連通部９２を介して液位測定室８５内に流すことができる。なお、図４に示す例では、下方連通部９２は、廃液取り入れ室８４の最下部の位置に形成されている。
【００４９】
下方連通部９４は、液位測定室８５内に貯留される廃液ＬＱＷの液面よりも下方となる位置に形成され、液位測定室８５と空気排出室８６とを連通させている。このように、液位測定室８５と空気排出室８６は下方連通部９４を介して一部連通しており、液位測定室８５と空気排出室８６との間で下方連通部９４を介して廃液ＬＱＷを移動させることができる。なお、仮に上方連通部９３から空気排出室８６内に入り込んでしまった廃液ＬＱＷを、下方連通部９４を介して、液位測定室８５内へ移動させることもできる。なお、図４に示す例では、下方連通部９４は、液位測定室８５の最下部の位置に形成されている。
【００５０】
以上のようにして、タンク４２の下方に廃液ＬＱＷの通り道が形成されているので、患者眼Ｅから吸引される廃液ＬＱＷを廃液取り入れ室８４内から液位測定室８５と空気排出室８６へ流して、排液口８３から排出させることができる。
【００５１】
このように本実施形態では、廃液取り入れ室８４と液位測定室８５と空気排出室８６とが互いに一部連通していることにより、廃液貯留装置６１において、吸気部２９による吸引により患者眼Ｅから吸引される廃液ＬＱＷをタンク４２内に一時的に貯留させる機能が確保されている。
【００５２】
また、本実施形態では、廃液取り入れ口８１は、廃液取り入れ室８４内に貯留される廃液ＬＱＷの液面よりも上方となる位置に設けられている。これにより、廃液取り入れ口８１から廃液ＬＱＷとともに取り入れられる気泡は、廃液取り入れ室８４内に貯留される廃液ＬＱＷに混ざる前に廃液ＬＱＷから分離され易くなるので、廃液取り入れ室８４内に貯留される廃液ＬＱＷに混ざり難くなる。そのため、下方連通部９２を介して廃液取り入れ室８４に連通する液位測定室８５内に貯留される廃液ＬＱＷにも、気泡が混ざり難くなる。したがって、液位測定室８５内に貯留される廃液ＬＱＷの液位が安定するので、液位測定部７１により安定した廃液ＬＱＷの液位の測定が可能となる。
【００５３】
さらに、廃液取り入れ口８１は、当該廃液取り入れ口８１の軸線Ｓが液体取り入れ室８４の内壁面８４ａに向かうようにして、筒状のタンク４２の軸線に対して傾いて形成されている。これにより、液体取り入れ口８１から取り入れられた廃液ＬＱＷを廃液取り入れ室８４の内壁面８４ａへ案内して流すことができるので、廃液ＬＱＷに含まれる気泡を廃液ＬＱＷから分離させて、廃液ＬＱＷのみをタンク４２内に貯留させ易くなる。このようにして、タンク４２においては、廃液取り入れ口８１から取り入れられた廃液ＬＱＷを廃液取り入れ室８４の内壁面８４ａへ案内して流す廃液案内構造（液体案内構造）が形成されている。
【００５４】
また、本実施形態では、上方連通部９１と上方連通部９３は、仕切り８７と仕切り８８が配列される方向から見たときに、重ならない位置、または、一部のみ重なる位置に形成されている。例えば、図４に示す例においては、上方連通部９１は図面の奥行側の位置に形成され、上方連通部９３は図面の手前側の位置に形成されており、上方連通部９１と上方連通部９３は、仕切り８７と仕切り８８が配列される方向から見たときに、重ならない位置に形成されている。これにより、廃液取り入れ口８１から廃液取り入れ室８４内へ取り入れられる廃液ＬＱＷが、上方連通部９１と上方連通部９３を介して空気排出室８６内へ入り込み難くなる。そのため、空気排出室８６に接続する吸気部２９に廃液ＬＱＷが吸引され難くなる。
【００５５】
以上のように本実施形態によれば、タンク４２は、廃液取り入れ室８４と、液位測定室８５と、廃液取り入れ室８４と液位測定室８５とを一部連通させながら分ける仕切り８７を備えている。また、廃液取り入れ口８１は、廃液取り入れ室８４内に貯留される廃液ＬＱＷの液面よりも上方となる位置に設けられている。
【００５６】
これにより、液位測定室８５内に貯留される廃液ＬＱＷは、廃液取り入れ室８４内に取り入れられる廃液ＬＱＷの影響を受け難くなる。また、廃液取り入れ口８１から廃液ＬＱＷとともに取り入れられる気泡は、液位測定室８５内に貯留される廃液ＬＱＷに混ざり難くなる。そのため、液位測定室８５内に貯留される廃液ＬＱＷの液位が安定する。したがって、タンク４２を小型化しながら、タンク４２内の廃液ＬＱＷの液位を安定して測定できる。ゆえに、廃液ＬＱＷの液位の測定結果に基づき廃液ＬＱＷの液位が一定になるように廃液吸引部３１の吸引流量を調整して、廃液ＬＱＷを排液口８３から廃液路４４に排出させることができる。以上のようなことから、タンク４２を出来るだけ小型化して、吸気部２９による吸引により患者眼Ｅから廃液ＬＱＷを吸引する応答性を向上させることができる。
【００５７】
また、本実施形態によれば、タンク４２は、空気排出室８６と、液位測定室８５と空気排出室８６とを一部連通させながら分ける仕切り８８と、を備える。これにより、液位測定室８５内に貯留される廃液ＬＱＷは、空気排出室８６内から排出される空気の影響を受け難くなる。そのため、液位測定室８５内に貯留される廃液ＬＱＷの液位が安定する。したがって、タンク４２を小型化しながら、タンク４２内の廃液ＬＱＷの液位を安定して測定できる。
【００５８】
また、本実施形態によれば、仕切り８７は上方連通部９１を備え、仕切り８８は上方連通部９３を備えている。これにより、廃液取り入れ室８４内の空気を上方連通部９１と上方連通部９３を介して空気排出室８６内から排出させることができる。また、液位測定室８５内の空気を上方連通部９３を介して空気排出室８６内から排出させることができる。そのため、吸気部２９によりタンク４２内の空気を吸引してタンク４２内の圧力を下げることにより、廃液ＬＱＷをタンク４２内に取り入れることができる。
【００５９】
また、本実施形態によれば、上方連通部９１と上方連通部９３は、仕切り８７と仕切り８８が配列される方向から見たときに、重ならない位置、または、一部のみ重なる位置に形成されている。これにより、廃液取り入れ室８４内に取り入れられる廃液ＬＱＷが、上方連通部９１と上方連通部９３を介して空気排出室８６内へ入り込み難くなる。そのため、空気排出室８６に接続する吸気部２９に廃液ＬＱＷが吸引され難くなる。
【００６０】
また、本実施形態によれば、液体取り入れ口８１は、当該液体取り入れ口８１の軸線Ｓが液体取り入れ室８４の内壁面８４ａに向かうようにして、傾いて形成されている。これにより、廃液ＬＱＷを廃液取り入れ室８４の内壁面８４ａへ案内して流すことができるので、廃液ＬＱＷに含まれる気泡を廃液ＬＱＷから分離させて、廃液ＬＱＷのみをタンク４２内に貯留させ易くなる。なお、本実施形態で開示する液体取り入れ口８１の態様は一例に過ぎず、液体取り入れ口８１の軸線Ｓは、傾いていなくてもよく、廃液ＬＱＷを廃液取り入れ室８４の内壁面８４ａへ案内して流すことができるのであれば、例えば水平であってもよい。
【００６１】
また、本実施形態によれば、仕切り８７は、下方連通部９２を備えている。これにより、廃液取り入れ室８４内に取り入れられた廃液ＬＱＷを、下方連通部９２を介して、液位測定室８５内へ流すことができる。
【００６２】
なお、変形例として、タンク４２は、仕切り８８を有さず、液位測定室８５と空気排出室８６とが一体的に形成されて１つの部屋となっていてもよい。
【００６３】
また、排液口８３は、タンク４２内の３つの部屋のいずれかに設けられていればよく、廃液取り入れ室８４または空気排出室８６に設けられていてもよい。また、タンク４２は、廃液取り入れ口８１から取り入れられた廃液ＬＱＷを廃液取り入れ室８４の内壁面８４ａへ案内して流す廃液案内構造の変形例として、廃液取り入れ口８１と廃液取り入れ室８４の内壁面８４ａとを繋ぐ接続部を有していてもよい。
【００６４】
上記においては、眼科装置１は例えば白内障手術に使用されるものであるとして説明したが、眼科装置１は硝子体手術にも使用することができる。
【００６５】
なお、上記した実施の形態は単なる例示にすぎず、本開示を何ら限定するものではなく、その要旨を逸脱しない範囲内で種々の改良、変形が可能であることはもちろんである。
【００６６】
例えば、タンク４２は、廃液取り入れ室８４と液位測定室８５と空気排出室８６の他に、廃液ＬＱＷを排出するための廃液排出室（液体を排出するための液体排出室）を備えてもよい。このとき、排液口８３は、廃液排出室に設けられている。また、タンク４２は、液位測定室８５と廃液排出室とを一部連通させながら分ける第３の仕切りを備えている。なお、第３の仕切りは、少なくとも、液位測定室８５内に貯留される廃液ＬＱＷの液面よりも下方となる位置にて液位測定室８５と廃液排出室とを連通させる下方連通部（第３の下方連通部）を備えている。これにより、液位測定室８５の廃液ＬＱＷを、下方連通部を介して、廃液排出室内へ流すことができる。
【符号の説明】
【００６７】
１  眼科装置
１１  本体
１２  カセット
１２ａ  カセット本体
１２ｂ  廃液バッグ
２９  吸気部
４２  タンク
４２ａ  窓
４３  吸気路
６１  廃液貯留装置
７１  液位測定部
８１  廃液取り入れ口
８２  排気口
８３  排液口
８４  廃液取り入れ室
８４ａ  内壁面
８５  液位測定室
８６  空気排出室
８７  仕切り
８８  仕切り
９１  上方連通部
９２  下方連通部
９３  上方連通部
ＬＱＷ  廃液
【図１】
0006801235.tif 000002
【図２】
0006801235.tif 000003
【図３】
0006801235.tif 000004
【図４】
0006801235.tif 000005